(57)【要約】【課題】  被認証者の身長や身体的特性の顔認証処理への影響を抑え得る生体認証装置等の提供。【解決手段】  撮像制御装置は、第二設定値より小さい第一設定値の光量で照明装置から照明光を照射させる照射部と、撮像装置が撮像する撮像画像に撮像対象者の頭部が収まるように、前記撮像装置の撮像方向調整を行う駆動部とを備え、前記照射部は、撮像方向調整が完了したのち、前記第二設定値の光量で、前記照明装置から前記撮像対象者へ向けて、照明光を照射させる。【選択図】  図１
2022002148.tif 000002
【特許請求の範囲】
【請求項１】
第二設定値より小さい第一設定値の光量で照明装置から照明光を照射させる照射部と、
撮像装置が撮像する撮像画像に撮像対象者の頭部が収まるように、前記撮像装置の撮像方向調整を行う駆動部とを備え、
前記照射部は、撮像方向調整が完了したのち、前記第二設定値の光量で、前記照明装置から前記撮像対象者へ向けて、照明光を照射させる、
撮像制御装置。
【請求項２】
撮像に係る撮像方向の少なくとも上下方向の調整である撮像方向調整と前記撮像とが可能な撮像装置に対して、前記撮像対象者の顔を含む画像が前記撮像により前記撮像装置から伝達される撮像画像に含まれるように前記撮像方向調整を行わせる撮像方向指示部をさらに備えた、請求項１に記載された撮像制御装置。
【請求項３】
前記撮像方向指示部は、前記撮像方向調整を、前記撮像画像から前記撮像対象者の輪郭線を抽出することにより行わせる、請求項２に記載された撮像制御装置。
【請求項４】
前記撮像方向指示部は、前記撮像方向調整を、前記輪郭線から前記顔の中心を導出する
ことにより行わせる、請求項３に記載された撮像制御装置。
【請求項５】
前記駆動部は、前記照明装置から前記撮像対象者への照明方向が、前記撮像対象者の目の近傍以外の部分を向くように、前記照明装置に対して、前記照明方向の調整を行う、請求項２に記載された撮像制御装置。
【請求項６】
前記目の近傍以外の部分が、前記撮像対象者の唇及び額のうちの少なくともいずれかを含む、請求項５に記載された撮像制御装置。
【請求項７】
第二設定値より小さい第一設定値の光量で照明装置から照明光を照射させ、
撮像装置が撮像する撮像画像に撮像対象者の頭部が収まるように、前記撮像装置の撮像方向調整を行い、
撮像方向調整が完了したのち、前記第二設定値の光量で、前記照明装置から前記撮像対象者へ向けて、照明光を照射させる、
撮像制御方法。
【請求項８】
第二設定値より小さい第一設定値の光量で照明装置から照明光を照射させることと、
撮像装置が撮像する撮像画像に撮像対象者の頭部が収まるように、前記撮像装置の撮像方向調整を行うことと、
をコンピュータに実行させ、
撮像方向調整が完了したのち、前記第二設定値の光量で、前記照明装置から前記撮像対象者へ向けて、照明光を照射させること
をコンピュータに実行させるためのプログラム。
【発明の詳細な説明】
【技術分野】
【０００１】
本発明は、被認証者の顔又は虹彩を認証する装置に関する。
【背景技術】
【０００２】
昨今、種々の顔認証装置等の開発が盛んに行われている。例えば、特許文献１は、検出した環境光による照度が低い場合には照明手段による照射光が弱くなるように制御するとともに、環境光による照度が高い場合には照明手段による照射光が強くなるように制御する顔認証装置を開示する。
【０００３】
また、特許文献２は、人間顔位置にある画像が前記カメラヘッドによって撮影されたビデオ画面の中心に存在するように、前記人間顔位置に応じて前記カメラヘッドの撮影角度を微調整する、カメラヘッド撮影角度調整方法を開示する。
【先行技術文献】
【特許文献】
【０００４】
【特許文献１】国際公開第２００７／１３５７３５号
【特許文献２】特表２０１８−５０１６７１号公報
【発明の概要】
【発明が解決しようとする課題】
【０００５】
一般的な顔認証装置には、以下の課題がある。
【０００６】
第１の課題は、顔認証用カメラを用いて顔認証を行う対象者（以下、「被認証者」と称する。）の撮像範囲および画角内における顔の位置が一定ではないことである。その理由は、被認証者の年齢や性別、身体的特性により身長または顔認証時の頭部の位置が異なるためである。例えば、成人男性の平均身長と、１０歳の男子児童の平均身長を比較した場合は３０ｃｍ以上の乖離があるという保健機関の報告がある。また、下肢に障害をもたれた身体障碍者が車椅子に着座した際の頭部の位置は、成人男性のそれと大きく乖離する。その結果、一般的な顔認証用カメラ（固定カメラ）では、あらかじめ設定された画角から得られる撮像範囲に、被認証者の頭部が収まらない場合がある。
【０００７】
また、虹彩認証用カメラを用いて虹彩認証処理を行う場合も、上記と同様な課題がある。
【０００８】
本発明は、被認証者の身長や身体的特性の顔認証処理又は虹彩認証処理への影響を抑え得る生体認証装置等の提供を目的とする。
【課題を解決するための手段】
【０００９】
本発明の撮像制御装置は、第二設定値より小さい第一設定値の光量で照明装置から照明光を照射させる照射部と、撮像装置が撮像する撮像画像に撮像対象者の頭部が収まるように、前記撮像装置の撮像方向調整を行う駆動部とを備え、前記照射部は、撮像方向調整が完了したのち、前記第二設定値の光量で、前記照明装置から前記撮像対象者へ向けて、照明光を照射させる。
【００１０】
本発明の一態様に係る撮像制御方法は、第二設定値より小さい第一設定値の光量で照明装置から照明光を照射させ、撮像装置が撮像する撮像画像に撮像対象者の頭部が収まるように、前記撮像装置の撮像方向調整を行い、撮像方向調整が完了したのち、前記第二設定値の光量で、前記照明装置から前記撮像対象者へ向けて、照明光を照射させる。
【００１１】
本発明の一態様に係るプログラムは、第二設定値より小さい第一設定値の光量で照明装置から照明光を照射させることと、撮像装置が撮像する撮像画像に撮像対象者の頭部が収まるように、前記撮像装置の撮像方向調整を行うことと、をコンピュータに実行させ、撮像方向調整が完了したのち、前記第二設定値の光量で、前記照明装置から前記撮像対象者へ向けて、照明光を照射させることをコンピュータに実行させる。
【発明の効果】
【００１２】
本発明の生体認証装置等は、被認証者の身長や及び身体的特性の顔認証処理又は虹彩認証処理への影響を抑え得る。
【図面の簡単な説明】
【００１３】
【図１】本実施形態の生体認証装置の構成例を表すイメージ図である。
【図２】撮像部の構成例を表す概念図である。
【図３】発光部の構成例を表す概念図である。
【図４】処理部が行う処理の具体例を表す概念図（その１）である。
【図５】処理部が行う処理の具体例を表す概念図（その２）である。
【図６】処理部が行う処理の具体例を表す概念図（その３）である。
【図７】処理部が行う処理の具体例を表す概念図（その４）である。
【図８】実施形態の生体認証装置の最小限の構成を表す概念図である。
【発明を実施するための形態】
【００１４】
＜第一実施形態＞
本実施形態は、被認証者の顔認証処理を行う生体認証装置に関する実施形態である。本実施形態の生体認証装置は、顔認証処理に用いる撮像画像に被認証者の頭部が収まるように撮像方向を縦方向に調整する。これにより、前記生体認証装置は、被認証者の頭部の高さ位置が異なる場合にも、顔認証処理を適正に行い得る。
【００１５】
前記生体認証装置は、さらに、顔認証処理を行うための撮像画像の撮像時の照明の発光方向を、被認証者の目からずらした位置に設定する。前記生体認証装置は、これにより、被認証者が照明光のまぶしさにより目を閉じた状態、すなわち、顔認証処理に適さない撮像画像を取得する確率を低減し、さらに照明光のまぶしさによる被認証者の身体的負担を軽減する。
【００１６】
前記生体認証装置は、顔認証処理を行うための撮像画像の撮像の前に行う、被認証者の顔の輪郭を抽出するための撮像において、顔認証処理用の撮像における時よりも低い照度の照明が用いられる。前記生体認証装置は、これにより、被認証者がまぶしさにより目を閉じた状態、すなわち、顔認証処理に適さない撮像画像を取得する確率、及び、まぶしさによる被認証者の身体的負担を一層低減する。
［構成と動作］
図１は、本実施形態の生体認証装置の例である生体認証装置１００の構成を表すイメージ図である。図１（ａ）は、生体認証装置１００の正面斜視図である。また、図１（ｂ）は、生体認証装置１００の断面図である。なお、図１（ｂ）は、各構成の断面をあくまでもイメージで表すものであり、図１（ａ）における配置や寸法等が正確に反映されたものではない。
【００１７】
生体認証装置１００は、例えば、壁８の壁面に、標準的な身長の人の目の高さに撮像部３が位置するように設置されている。
【００１８】
生体認証装置１００は、光拡散部材１及び７と、発光部１１及び７１と、撮像部３と、人検出部２と、音声出力部４と、筐体５と、認証媒体読取部６と、処理部１２と、記憶部１３とを備える。
【００１９】
ここで、撮像部３の構成例を図２を参照して説明する。撮像部３は、撮像実行部３１と、撮像方向調整部３２と、撮像処理部３３とを備える。
【００２０】
撮像実行部３１は、例えば、一般的なデジタルカメラやスマートフォンのカメラの撮像を実行する部分に相当する部分である。撮像実行部３１は、図示されない、撮像素子と、撮像用レンズと照度測定部とを備える。当該撮像用レンズは、撮像処理部３３からの指示に従い、撮像倍率を変更可能である。
【００２１】
撮像実行部３１は、撮像処理部３３からの指示に従い、保護ガラス３４を通して、矢印９９ａの向きの撮像を実行する。撮像実行部３１は、撮像素子による撮像信号を撮像処理部３３へ伝達する。
【００２２】
撮像実行部３１は、また、前述の照度測定部により、撮像範囲の照度を測定し、当該照度を表す信号を、撮像処理部へ、逐次伝達する。
【００２３】
撮像方向調整部３２は、例えば、上下方向に旋回する旋回駆動部を備える。その場合、撮像方向調整部３２は、撮像処理部３３からの指示に従い、当該旋回駆動部により、撮像実行部の撮像方向を上下旋回調整（上下方向に旋回する調整）する。そのような上下旋回調整を行う旋回駆動部は周知の構成の中から適宜選択することが可能であり、ここでは、その詳細説明は省略される。
【００２４】
撮像方向調整部３２による、この撮像方向の調整は、発明が解決しようとする課題の項で説明した、背の低い人や車椅子に着座した人の頭部の撮像が一般的なカメラ等の撮像部では困難であるという課題を解決するためのものである。
【００２５】
撮像処理部３３は、図１の処理部１２から伝達された撮像指示情報により、撮像実行部３１に撮像を実行させる。撮像処理部３３は、また、処理部１２から伝達された撮像方向指示情報により、撮像方向調整部３２に、撮像実行部３１の撮像方向を調整させる。撮像処理部３３は、また、処理部１２から伝達された撮像倍率指示情報により、撮像実行部３１に、撮像倍率を調整させる。撮像処理部３３は、また、撮像実行部３１から伝達される前述の照度信号から照度を表す照度情報を生成し、処理部１２へ伝達する。
【００２６】
ここで、図２の説明を終え、図１の説明に戻る。
【００２７】
発光部１１及び７１は、光拡散部材１及び７を介して被認証者に照明光を照射することにより、撮像部３による撮像に必要な照度を確保するためのものである。
【００２８】
撮像画像により顔認証処理を行う場合、認証エラーを防ぐ鮮明な撮像画像を得るためには、一般的に、２００ルクス以上の被認証者への照度が必要となることが、経験により理解されている。しかしながら、撮像部の設置場所や設置環境によっては、照度が低すぎる場合がある。その理由は、例えば、認証環境により照度が一様ではないためである。例えば、執務室への入室を制限するために設けられた顔認証設備の場合、設置位置は廊下側の壁面である場合が多い。当該環境においては、節電のために廊下の照明が抑えられていたり、あるいは蛍光灯の灯が柱などの障害物により遮蔽される場合がある。そのような場合、顔認証処理を行うための十分な照度が得られず、認証エラーが生じる場合がある。処理部１２の指示により行われる発光部１１及び７１による照明は、当該課題を解決するためのものである。
【００２９】
ここで、図１の説明を中断して、図３を参照して、発光部１１の構成例を説明する。発光部１１は、発光素子部１１１と発光方向調整部１１２とを備える。発光素子部１１１は、例えば、図示されない、発光ダイオードと発光ダイオードを発光させるための電流を供給する制御部とを備える。発光素子部１１１は、処理部１２からの指示に従い、発光及び発光の停止を行い、さらに、発光する場合における発光強度を変化させる。発光方向調整部１１２は例えば周知の回転ステージを備える構成である。その場合、当該回転ステージは、処理部１２からの指示に従い、設置された発光素子部１１１の発光により光拡散部材１から右方に照射される照明光の主たる照明方向を上下旋回調整する。そのような回転ステージは周知の構成の中から適宜選択することが可能であるので、その詳細説明は省略される。また、ここで、「主たる発光方向」と記述するのは発光素子が発光ダイオードの場合は発光される光が拡散光であり、発光強度の分布があるためである。「主たる発光方向」は、拡散する光の発光方向の中心である。以下の説明においては、「主たる発光方向」が単に「発光方向」と記述される場合がある。
【００３０】
発光方向調整部１１２は、あるいは、図示されない鏡を備え、発光素子から鏡に入射された光の出射の向きを、鏡の向きを変えることにより、発光方向を上下旋回調整するものであっても構わない。
【００３１】
発光部１１から出射される光は、光拡散部材１を介して、照明光として、右方に照射される。発光方向調整部１１２は、発光素子部１１１に発光方向を調整させることにより、照明光の主たる照明方向を上下旋回調整させる。光拡散部材１は、発光部１１から入射される光をさらに拡散させる部材である。
【００３２】
発光部７１についても、上記と同様である。
【００３３】
光拡散部材１は、発光部１１から入射された光をさらに拡散させた拡散光を図１（ｂ）の右方へ、さらに拡散された光である照明光として照射する。当該照明光の照明方向は、発光部１１からの光の発光方向により調整される。
【００３４】
発光部１１及び７１に、図３の発光方向調整部１１２及び発光方向調整部１１２に相当する発光方向調整部が設けられる理由は、次のとおりである。
【００３５】
十分な照度を確保するため、顔認証用カメラの近傍に照明装置を設置した場合、被認証者が照明光のまぶしさのため閉眼し、閉眼した被認証者の顔画像があらかじめ登録された顔画像と異なる旨が判定されることにより、認証エラーが生じる場合がある。被認証者が照明光によりまぶしさを感じるのは、顔認証用カメラの近傍から被認証者の顔面を照明するように照明装置を設置した場合、一つには、被認証者の眼球へ、直接、撮像に必要な照度を確保するための２００ルクスの照明光が入射されるためである。すなわち、被認証者の正面または近い位置へ２００ルクスの光源を設置すると、光の入射角によっては、視神経の瞬目反射または明順応により、しばらく閉眼した状態が継続する。そのため、正常に顔認証処理が適正に行えない状態が継続し、認証エラーとなる場合がある。
【００３６】
処理部１２の指示により前記発光方向調整部が行う発光方向の調整は、被認証者の目の近傍の照度を低下させることにより上記課題を解決する。
【００３７】
ここで、図１に説明を戻す。
【００３８】
人検出部２は、例えば、人感センサである。その場合、人検出部２は、例えば、レーザ距離計を備える構成である。そして、人検出部２は、距離検出の向きを予め設定された図１（ｂ）の矢印９９ａの向きの範囲を走査し、その走査範囲のいずれかで距離が閾値以下の場合に、人を検出した旨を表す情報である人検出情報を処理部１２へ伝達する。
【００３９】
音声出力部４は、例えば、スピーカである。音声出力部４は、処理部１２の指示に従い、音声を出力する。
【００４０】
認証媒体読取部６は、例えば、その所定の位置にかざされた認証用の近距離無線通信用媒体（認証用媒体）から、その認証用媒体を表す情報である媒体認証用情報を読み出し、処理部１２へ伝達する。当該認証用媒体は、例えば、社員証や入館証である。
【００４１】
記憶部１３は、例えば、ハードディスク装置や半導体メモリを備える構成である。記憶部１３は、処理部１２が処理を行うために必要なプログラムや情報を予め保持する。記憶部１３は、また、処理部１２が指示する情報を格納する。記憶部１３は、また、処理部１２が指示する格納情報を、処理部１２へ伝達する。
【００４２】
処理部１２は、例えば、コンピュータの中央演算装置を含む構成である。
【００４３】
処理部１２は、撮像部３に、顔認証処理に用いる撮像画像に被認証者の頭部が収まるように、撮像方向を縦方向に旋回調整させる。これにより、処理部１２は、被認証者の頭部の高さ位置が異なる場合にも、顔認証処理を適正に行えるようにする。
【００４４】
処理部１２は、また、発光部１１及び７１に、顔認証処理を行うための撮像画像の撮像時の照明の照明方向を、被認証者の目からずらした個所に設定させる。処理部１２は、これにより、被認証者がまぶしさにより目を閉じた、顔認証処理に適さない撮像画像を取得する確率や、まぶしさによる被認証者の負担を低減する。
【００４５】
処理部１２は、さらに、顔認証処理を行うための撮像画像の撮像の前に撮像部３が行う、被認証者の顔の輪郭を取得するための撮像において、顔認証処理用の撮像における時よりも低い照度の照明を発光部１１及び７１に行わせる。処理部１２は、これにより、被認証者がまぶしさにより目を閉じた、すなわち、顔認証処理に適さない撮像画像を取得する確率、及び、まぶしさによる被認証者の身体的負担を一層低減する。
【００４６】
以下、処理部１２が上記動作を行うために行う処理の具体例を図４ないし図７を参照して説明する。図４ないし図７は処理部１２が行う処理の処理フロー例を表す概念図である。
【００４７】
処理部１２は、例えば、外部からの開始情報の入力により、図４ないし図７の処理を開始する。処理部１２の動作開始に連動して記憶部１３は動作を開始する。
【００４８】
そして、処理部１２は、まず、Ｓ１０１の処理として、各処理条件の初期化を行う。当該処理条件初期化には、例えば、処理部１２において、処理の段階を初期段階に設定する処理が含まれる。前記初期化には、あるいは、例えば、撮像部３から伝達を受ける予定の照度情報をゼロレベルに設定する処理が含まれる。
【００４９】
前記初期化には、あるいは、例えば、発光部１１及び７１に伝達するこれらに照射させる光の光量を指示する情報である光量指示情報を光量ゼロに設定する処理が含まれる。前記初期化には、あるいは、例えば、発光部１１及び７１に伝達する、発光方向を指示する情報である発光方向指示情報を初期値に設定させる処理が含まれる。初期値における発光方向は、例えば、図１（ｂ）の矢印９９ａに含まれる最も上方の矢印の向きである。
【００５０】
前記初期化には、あるいは、例えば、撮像部３に伝達する撮像倍率指示情報を、初期値に設定する処理が含まれる。前記初期化には、あるいは、例えば、撮像部３に伝達する撮像指示情報を、撮像しないに設定する処理が含まれる。前記処理条件初期化には、あるいは、例えば、人検出部２からの入力情報を、人を検出していないことを表す情報に設定する処理が含まれる。前記処理条件初期化には、あるいは、例えば、認証媒体読取部６からの入力情報を、媒体認証用情報が読み取られていないことを表す情報に設定する処理が含まれる。
【００５１】
Ｓ１０１の処理の次に、処理部１２は、Ｓ１０２として、発光部１１及び７１、撮像部３、人検出部２及び認証媒体読取部６に対して、Ｓ１０１で行った初期化を前提に、起動を指示する。当該指示を受けて、発光部１１及び７１、撮像部３、人検出部２及び認証媒体読取部６は、起動する。
【００５２】
すなわち、発光部１１及び７１は、処理部１２から伝達される光量指示情報により、発光する光量を調整するようになる。当該光量は、Ｓ１０１の処理により初期値のゼロに設定されているので、発光部１１及び７１は、発光しない。発光部１１及び７１は、処理部１２から伝達される発光方向指示情報により、発光方向を調整するようになる。当該発光方向は、Ｓ１０１の処理により、初期状態に設定されている。
【００５３】
また、人検出部２は、設定された範囲内の人の有無を判定し、人がいる旨を判定した場合には、その旨を、処理部１２に出力するようになる。
【００５４】
また、認証媒体読取部６は、認証用の近距離無線通信用媒体から媒体認証用情報を読み取った場合には、その媒体認証用情報を、処理部１２へ伝達するようになる。
【００５５】
また、撮像部３は、撮像範囲の照度を表す照度情報を、処理部１２へ伝達するようになる。また、撮像部３は、処理部１２からの撮像方向指示情報により、撮像方向を調整するようになる。撮像部３は、また、処理部１２からの撮像倍率指示情報により、撮像倍率を調整するようになる。撮像部３は、また、処理部１２からの撮像指示情報により、撮像を実行し、撮像した画像データを処理部１２へ伝達するようになる。
【００５６】
次に、処理部１２は、Ｓ１０３の処理として、人が検出されたかについての判定を行う。処理部１２は、当該判定を、例えば、人検出部２からの、前述の人検出情報の伝達の有無を判定することにより行う。
【００５７】
次に、処理部１２は、Ｓ１０４の処理として、撮像部３から伝達された照度情報の照度が第一設定値未満かについての判定を行う。第一設定値は、顔認証処理用の顔画像を撮像する際の後述の第二設定値（図６のＳ１４１参照）と比較して低い値であり、例えば、５０ルクスである。処理部１２は、Ｓ１０４の処理による判定結果がｙｅｓの場合は、Ｓ１０５の処理を行う。一方、処理部１２は、Ｓ１０４の処理による判定結果がｎｏの場合は、Ｓ１０５の処理をスキップして、Ｓ１０６の処理を行う。
【００５８】
処理部１２は、Ｓ１０５の処理を行う場合は、同処理として、発光部１１及び７１に、第一設定値の光量に相当する光の発光を行わせる。
【００５９】
Ｓ１０５の処理により、発光部１１及び７１に比較的低い第一設定値の光量の光の発光を行わせる理由は、次のとおりである。すなわち、その理由は、以下に説明するように、当該発光による被認証者への照明光の照射により撮像する画像が、顔認証処理の実行のためのものではなく、被認証者の輪郭線を抽出するためのものなので、高い光量の光の照明が必要ないためである。比較的低い照明光の照射により、被認証者が、目を閉じたり、まぶしすぎることにより身体的負担を感じたりすることを防ぐことができる。
【００６０】
そして、処理部１２は、Ｓ１０６の処理として、認証媒体読取部６により媒体認証用情報が読み出されたかについての判定を行う。処理部１２は、当該判定を、認証媒体読取部６からの媒体認証用情報の伝達の有無を判定することにより行う。なお、処理部１２は、Ｓ１０３の処理でｙｅｓが判定されてからＳ１０６の処理が行われるまでの間において、音声出力部４に、前述の認証用媒体を認証媒体読取部６にかざす動作を被認証者に促す音声を出力させても構わない。当該音声は、例えば、「認証用媒体をかざしてください。」である。
【００６１】
処理部１２は、Ｓ１０６の処理による判定結果がｙｅｓの場合はＳ１０７の処理を行う。一方、処理部１２は、Ｓ１０６の処理による判定結果がｎｏの場合はＳ１０３の処理を再度行う。
【００６２】
処理部１２は、Ｓ１０７の処理を行う場合は、同処理として、Ｓ１０６の処理により読み出されたことが判定された媒体認証用情報が登録されたものであるかについての判定を行う。処理部１２は、当該判定を、例えば、記憶部１３に格納された媒体認証用情報群に、読み出されたものが含まれるか否かを判定することにより行う。
【００６３】
処理部１２は、Ｓ１０７の処理による判定結果がｙｅｓの場合は、Ｓ１０８の処理を行う。一方、処理部１２は、Ｓ１０７の処理による判定結果がｎｏの場合は、Ｓ１０３の処理を再度行う。
【００６４】
処理部１２は、Ｓ１０８の処理を行う場合は、同処理として、撮像部３に対し撮像指示情報を伝達する。当該撮像指示情報の伝達を受けて、撮像部３は撮像を実行する。この段階での撮像方向及び撮像倍率は、Ｓ１０１の処理により、初期値に設定されている。そのため、被認証者の頭部から肩にかけての画像は、撮像範囲に収まっていないか、あるいは、ずれて収まっている可能性がある。撮像部３は撮像による画像情報（撮像画像情報）を処理部１２へ伝達する。
【００６５】
次に、処理部１２は、撮像部３から伝達を受けた撮像画像情報において、被認証者の輪郭線を抽出するための処理を行う。当該処理は、画像処理において行われる一般的な処理である。従い、その詳細は省略される。
【００６６】
そして、処理部１２は、Ｓ１１０の処理として、Ｓ１０９の処理により、被認証者の肩から頭部にかけての部分を含む輪郭線が抽出できたかについての判定を行う。処理部１２は、Ｓ１１０の処理による判定結果がｙｅｓの場合は、図５のＳ１２１の処理を行う。一方、処理部１２は、Ｓ１１０の処理による判定結果がｎｏの場合は、Ｓ１１１の処理を行う。
【００６７】
処理部１２は、Ｓ１１１の処理を行う場合は、同処理として、撮像部３に伝達する撮像方向指示情報において、撮像方向を、予め設定された角度（設定角度）だけ、俯角方向に変更させる指示を行う。当該設定角度は、例えば、５度である。そして、処理部１２は、Ｓ１０８の処理を再度行う。
【００６８】
処理部１２は、図５のＳ１２１の処理を行う場合は、同処理として、直近の輪郭線抽出処理により抽出した輪郭線から肩の高さを表す線である肩高線を抽出する処理を行う。当該処理は、画像認識による周知の処理により行うことができる。従い、その処理の詳細説明は省略される。なお、直近の輪郭線抽出処理は、前述のＳ１０９と後述のＳ１３０のうちのいずれか、直近に行われたものである。
【００６９】
次に、処理部１２は、Ｓ１２２の処理として、Ｓ１０９の処理により抽出した輪郭線から頭頂部を特定する処理を行う。当該処理は、画像処理における周知の方法により行うことができる。従い、その詳細説明は省略される。
【００７０】
そして、処理部１２は、Ｓ１２３の処理として、頭頂部を表す点から肩高線に垂直に下した線の中点を顔の中心を表す点である顔中心点に設定する。画像情報中の点は例えば座標で表される。
【００７１】
そして、処理部１２は、Ｓ１２４の処理として、顔中心点が撮像範囲の上下範囲に対して適正になるように撮像方向の上下旋回調整を指示する撮像方向指示情報を撮像部３へ伝達する。適正な撮像方向は、例えば、顔中心点が、撮像範囲における上限から２／５の位置になる撮像方向である。
【００７２】
そして、処理部１２は、Ｓ１２５の処理として、頭部全体が撮像範囲に収まる撮像倍率を導出し、その撮像倍率の設定を指示する撮像倍率指示情報を撮像部３へ伝達する。
【００７３】
そして、処理部１２は、Ｓ１２６の処理として、撮像範囲の中心点と顔中心点との水平方向の距離を導出する。そして、処理部１２は、Ｓ１２７の処理として、Ｓ１２６の処理により導出した水平方向の距離があらかじめ設定された閾値以下であるかを判定する。当該閾値は、例えば、１０センチメートルである。処理部１２は、Ｓ１２７の処理による判定結果がｙｅｓの場合は、図６のＳ１４１の処理を行う。一方、処理部１２は、Ｓ１２７の処理による判定結果がｎｏの場合は、Ｓ１２８の処理を行う。
【００７４】
処理部１２は、Ｓ１２８の処理を行う場合は、同処理として、被認証者にその水平方向の位置を正しくさせることを促す音声の出力を指示する。当該音声の内容は、例えば、「カメラの正面に立ってください」である。
【００７５】
そして、処理部１２は、Ｓ１２９の処理として、撮像部３に撮像指示情報を伝達し、撮像を実行させる。そして、処理部１２は、Ｓ１３０の処理として、撮像部３から伝達された撮像画像情報において、被認証者の輪郭線を導出する。そして、処理部１２は、その輪郭線について、Ｓ１２１の処理を行う。
【００７６】
処理部１２は、図６のＳ１４１の処理を行う場合は、同処理として、撮像部３から伝達される照度情報が表す照度が第二設定値未満であるかについての判定を行う。第二設定値は前述の第一設定値よりも高い値である。第二設定値は、例えば、２００ルクスである。第二設定値を前述の第一設定値より高くする理由は、第二設定値の照度の照明により取得される撮像画像情報は、以下に説明されるように、単に被認証者の輪郭線を得るためのものではなく、被認証者の顔認証処理を行うためのものだからである。そのためには第一設定値の照度で撮像された画像より鮮明な画像の取得が必要であり、そのためにはより高い照度での撮像が必要になる。
【００７７】
処理部１２は、Ｓ１４１の処理による判定結果がｙｅｓの場合は、Ｓ１４２の処理を行う。一方、処理部１２は、Ｓ１４１の処理による判定結果がｎｏの場合は、Ｓ１４２乃至Ｓ１４４の処理をスキップして、Ｓ１４５の処理を行う。
【００７８】
処理部１２は、Ｓ１４２の処理を行う場合は、同処理として、直近に導出した顔中心点から、額と唇の高さ位置を推定する。その際に、処理部１２は、顔中心点と、額又は唇の高さ位置の違いに、例えば経験値により定められた値を用いる。
【００７９】
そして、処理部１２は、Ｓ１４３の処理として、上方の発光部である発光部１１に、光拡散部材１からの照明光の照明方向を被認証者の額の位置に設定させる発光方向指示情報を伝達する。処理部１２は、Ｓ１４３の処理として、また、下方の発光部である発光部７１に、光拡散部材７から照射される照明光の発光方向を被認証者の唇の位置に設定させる発光方向指示情報を伝達する。
【００８０】
そして、処理部１２は、Ｓ１４４の処理として、発光部１１及び７１に、第二設定値の照度に対応する光量の光の発光を行わせる光量指示情報を伝達する。当該伝達を受けて、発光部１１は被認証者の額に向けて、発光部７１は被認証者の唇に向けて、第二設定値の照度を実現する光量の光を撮像用の照明光として照射する。
【００８１】
このように、照明方向を額及び唇とするのは、照明方向を被認証者の目からずらすことにより、被認証者がまぶしさのあまり目を閉じたり、あるいは、身体的負担を感じるのを防ぐためである。そのような場合でも、光拡散部材１及び７を介して被認証者に照射される照明光は拡散光であるので、被認証者の目の近傍にも到達し、顔認証処理の実行に必要な解像度を有する画像が撮像される。
【００８２】
そして、処理部１２は、Ｓ１４５の処理として、撮像を指示する撮像指示情報を撮像部３へ伝達する。当該撮像指示情報の伝達を受けて、撮像部３は、第二設定値以上の照度における撮像を行い、撮像した撮像画像情報を処理部１２へ伝達する。
【００８３】
そして、処理部１２は、Ｓ１４６の処理として、撮像部３から伝達を受けた直近の撮像画像情報を用いて、被認証者についての顔認証処理を行う。処理部１２は、当該顔認証処理を、例えば、認証媒体読取部６が読み出した媒体認証用情報により、記憶部１３から読み出した顔情報と撮像画像における顔情報とを比較することに行う。処理部１２は、当該顔認証処理に、例えば、周知の顔認証技術を用いる。なお、ここでは、周知の顔認証技術の説明は省略される。
【００８４】
そして、処理部１２は、図７のＳ１５１の処理として、Ｓ１４７の処理により認証が成功したかについての判定を行う。処理部１２は、Ｓ１５１の処理による判定結果がｙｅｓの場合は、Ｓ１５５の処理を行う。一方、処理部１２は、Ｓ１５１の処理による判定結果がｎｏの場合は、Ｓ１５２の処理を行う。
【００８５】
Ｓ１５２ないしＳ１５４の処理は、Ｓ１５１の処理により認証が失敗した旨の判定結果が得られた場合に、念のため、もう一度撮像及び顔認証を行う処理である。
【００８６】
すなわち、処理部１２は、Ｓ１５２の処理を行う場合は、同処理として、撮像部３に、撮像指示情報を伝達し、撮像を行わせる。そして、処理部１２は、撮像部３から伝達を受けた撮像画像情報により、被認証者についての顔認証処理を行う。そして、処理部１２は、Ｓ１５４の処理として、Ｓ１５３の処理により行った顔認証処理により被認証者の認証が成功したかについての判定を行う。
【００８７】
処理部１２は、Ｓ１５４の処理による判定結果がｙｅｓの場合は、Ｓ１５５の処理を行う。一方、処理部１２は、Ｓ１５４の処理による判定結果がｎｏの場合は、Ｓ１５８の処理として、認証失敗の旨を伝える音声を、音声出力部４に出力させる。当該音声は、例えば、「認証に失敗しました」である。
【００８８】
次に、処理部１２は、Ｓ１５５の処理として、発光部１１及び７１に、光量ゼロの設定を指示する光量指示情報を伝達し、発光を停止させる。そして、処理部１２は、Ｓ１５６の処理として、認証成功の旨を表す音声情報を、音声出力部４に出力させる。当該音声は、例えば、「認証されました」である。
【００８９】
そして、処理部１２は、Ｓ１５７の処理として、顔認証処理による認証が成功した旨を表す認証成功情報を、予め設定された、生体認証装置１００の外部の伝達先に伝達する。なお、図１の生体認証装置１００は、当該伝達先と、認証成功情報を伝達するための信号線や無線により通信接続されている。図１においては、当該信号線や当該無線による通信を行うための構成は省略されている。
【００９０】
当該伝達先は、例えば、入場できる人が制限された部屋のドアに設置された電子錠である。その場合、当該電子錠は、認証成功情報の伝達を受けて開錠する。そして、当該電子錠は、例えば、そのドアが閉まったことを検出するか、所定の時間が経過するかのいずれかを判定することにより、施錠する。
【００９１】
当該伝達先は、例えば、入場できる人が制限された区域の入口に設けられたフラッパーゲートである。その場合、当該入場ゲートは、認証成功情報の伝達を受けてフラッパーを開くことにより入場可能な状況にする。そして、当該フラッパーゲートは、例えば、人に相当するものが通過したことを検出するか、所定の時間が経過するかのいずれかを判定することにより、フラッパーを閉じ、入場できなくする。
【００９２】
そして、処理部１２は、Ｓ１５９の処理として、撮像方向指示情報及び撮像倍率指示情報により、撮像部３に撮像方向及び撮像倍率を初期値に設定させる。
【００９３】
そして、処理部１２は、Ｓ１６０の処理として、発光方向指示情報及び光量指示情報により、発光部１１及び７１に発光方向及び光量を初期値に設定させる。
【００９４】
そして、処理部１２は、図４ないし図５の処理を終了するかについての判定を行う。処理部１２は、当該判定を、例えば外部からの終了情報の入力の有無を判定することにより行う。処理部１２は、Ｓ１６１の処理による判定結果がｙｅｓの場合は、図４ないし図５の処理を終了する。一方、処理部１２は、Ｓ１６１の処理による判定結果がｎｏの場合は、図４のＳ１０３の処理を再度行う。
【００９５】
以上の説明では、被認証者の顔認証処理に先立ち、認証媒体読取部６が被認証者の媒体認証用情報を読み取る場合の例を説明した。しかしながら、認証媒体読取部６は無くても構わない。その場合は、処理部１２は、撮像画像情報から得た顔認証処理用情報と、記憶部１３に格納された顔認証処理用情報群の各々とを比較して、合致するものがあるか否かを判定する。しかしながら、高精度に顔認証処理を行うためには、多くの処理量を要し、そのための処理時間を要する場合がある。認証媒体読取部６により媒体認証用情報を読み取る場合は、その媒体認証用情報により記憶部１３に格納されている顔認証処理用情報群から顔認証用情報を特定することができる。そして、その顔認証用情報と撮像画像情報から得た顔認証処理用情報とを比較することができる。その場合は、顔認証処理に要する処理量を低減することができる。そのため、その場合は、顔認証処理に要する処理時間を短縮できる。また、上記場合は、媒体認証用情報と顔認証処理とにより二重にその被認証者が登録されたものか否かについての判定を行う。そのため、上記場合は、被認証者が登録されたものか否かについての判定精度を向上し得る。
【００９６】
さらに、媒体認証用情報による認証に代えて、あるいは、媒体認証用情報による認証に加えて、被認証者についての、指紋認証、指静脈認証、虹彩認証処理などの他の生体認証処理を用いてもよい。その場合は、生体認証と顔認証処理とにより多重に被認証者が登録されたものか否かについての判定を行うことになる。そのため、その場合は、被認証者が登録されたものか否かについての判定精度を向上し得る。さらに、その場合は、生体認証を行うので、被認証者が生きているか否かについての判定を行うことができる。
【００９７】
また、図５の処理例においては、顔認証が成功したか否かの判定処理を、Ｓ１５１とＳ１５４の、最大で二回までに制限している。しかしながら、顔認証が成功したか否かの判定処理の回数の上限値は三回以上であっても構わない。また、当該上限値は入力情報等により変更できるようにされても構わない。
【００９８】
また、図１の生体認証装置１００では、被認証者に提示する情報の出力を、音声出力部４からの音声により行う。しかしながら、生体認証装置１００が、ディスプレイ等の画像出力装置を備え、当該画像出力装置の画面に被認証者に提示する情報を画像情報として出力しても構わない。その場合において、生体認証装置１００は、被認証者に提示する情報の出力を、音声出力部４からの音声と、当該画像出力装置の画像情報との、双方により行っても構わない。
【００９９】
あるいは、生体認証装置１００は、それらの被認証者への情報の提示に代え、あるいは、それらの被認証者への情報の提示に加えて、レーザ光による文字や映像の提示等により被認証者への情報の提示を行っても構わない。
［効果］
本実施形態の生体認証装置は、顔認証処理に用いる撮像画像に被認証者の頭部が収まるように撮像方向を上下旋回調整する。そのため、身長の違いや車いすを利用する被検者等の被認証者の頭部の高さ位置が異なる場合にも、顔認証処理を適正に行い得る。
【０１００】
前記生体認証装置は、顔認証処理用の画像を撮像する際に被認証者に向けて顔認証処理に必要な高解像度の画像を得るための照明光を照射する場合がある。その場合、前記生体認証装置は、顔認証精度の設置環境における照度への依存性を低減し、あるいは、必要な照度を得るための他の照明設備の設置に必要な設備投資を抑制する。その場合、前記生体認証装置は、さらに、顔認証処理が成功せずに繰り返し顔認証処理が行われることによる被認証者の精神的ストレスを軽減する。
【０１０１】
前記生体認証装置は、顔認証処理を行うための撮像画像の撮像時の照明方向を、被認証者の目からずらした位置に設定する場合がある。その場合、前記生体認証装置は、被認証者がまぶしさにより目を閉じた顔認証処理に適さない撮像画像を取得することにより生ずる認証不成功及びまぶしさによる被認証者の負担を抑制する。
【０１０２】
前記生体認証装置は、顔認証処理を行うための撮像画像の撮像の前に行う、被認証者の顔の輪郭を取得するための撮像においては、顔認証処理用の撮像における時よりも低い照度の照明を用いる場合がある。その場合、前記生体認証装置は、被認証者がまぶしさにより目を閉じた顔認証処理に適さない撮像画像を取得することにより生ずる認証不成功及びまぶしさによる被認証者の身体的負担を一層抑制する。
＜第二実施形態＞
本実施形態は、顔認証処理に替えて又は顔認証処理と合わせて、被認証者の虹彩認証処理を行う生体認証装置に関する実施形態である。
【０１０３】
本実施形態の生体認証装置においては、図１に表される生体認証装置１００の撮像部３に赤外線カメラが用いられる。そして、光拡散部材１又は７のうちの少なくとも一方は、赤外光透過部材で置き換えられる。本実施形態の生体認証装置においては、また、発光部１１又は７１の少なくとも一方は赤外線を照射する赤外線照射部である。
【０１０４】
そして、本実施形態の生体認証装置においては、図１の処理部１２は、図６のＳ１４２及びＳ１４３の処理に代えて、赤外線照射部に赤外光を眼球部分に照射させ、Ｓ１４５の処理に代えて赤外線カメラに眼球部分を撮影させる。そして、処理部１２は、Ｓ１４６の処理に代えて、撮像画像から虹彩パターンを取得、格納し、予め保持する光彩パターンのデータと照合する。
【０１０５】
本実施形態の生体認証装置が行う動作は、上記を除いて、第一実施形態の生体認証装置１００が行う動作と同じである。本実施形態の生体認証装置は、上記により、構成認証を行う場合において、以下の効果を奏する。
【０１０６】
すなわち、本実施形態の生体認証装置は、虹彩認証処理に用いる撮像画像に被認証者の頭部が収まるように撮像方向を上下旋回調整する。そのため、身長の違いや車いすを利用する被検者等の被認証者の頭部の高さ位置が異なる場合にも、虹彩認証処理を適正に行い得る。
【０１０７】
前記生体認証装置は、虹彩認証処理用の画像を撮像する際に被認証者の眼球部分に向けて虹彩認証処理に必要な高解像度の画像を得るための赤外照明光を照射する。その場合、前記生体認証装置は、虹彩認証処理の精度の設置環境における照度への依存性を低減し、あるいは、必要な照度を得るための他の照明設備の設置に必要な設備投資を抑制する。その場合、前記生体認証装置は、さらに、虹彩認証が成功せずに繰り返し虹彩認証処理が行われることによる被認証者の精神的ストレスを軽減する。
【０１０８】
なお、本実施形態の生体認証装置においては、顔認証処理を行うための第一実施形態の構成と虹彩認証処理を行う構成とが併用されてもよい。その場合、図６において顔認証処理が行われるＳ１４６の後に前述の虹彩認証処理が実行されてもよいし、又は、顔認証処理と虹彩認証処理とが並行して実行されてもよい。
【０１０９】
図８は、実施形態の生体認証装置である生体認証装置１２ｘの最小限の構成を表す概念図である。生体認証装置１２ｘは、撮像方向指示部１２ａｘと、撮像指示部１２ｂｘと、出力部１２ｃｘとを備える。
【０１１０】
撮像方向指示部１２ａｘは、撮像装置に対して、顔認証処理又は虹彩認証処理の対象者である被認証者の顔を含む画像が前記撮像により前記撮像装置から伝達される撮像画像に含まれるように前記撮像方向調整を行わせる。ここで、前記撮像装置は、撮像に係る撮像方向の少なくとも上下方向の調整である撮像方向調整と前記撮像とが可能なものである。
【０１１１】
撮像指示部１２ｂｘは、前記撮像装置に前記撮像を指示する。
【０１１２】
出力部１２ｃｘは、前記撮像装置から伝達された前記撮像画像により行った前記被認証者についての前記顔認証処理又は虹彩認証処理の結果を出力する。
【０１１３】
生体認証装置１２ｘは、被認証者の顔を含む画像が前記撮像により前記撮像装置から伝達される撮像画像に含まれるように前記撮像方向調整を行わせる。そのため、生体認証装置１２ｘは、被認証者の身長や身体的特性の顔認証処理又は虹彩認証処理への影響を抑え得る。
【０１１４】
そのため、生体認証装置１２ｘは、前記構成により、［発明の効果］の項に記載した効果を奏する。
【０１１５】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１１６】
また、前記の実施形態の一部又は全部は、以下の付記のようにも記述され得るが、以下には限られない。
（付記１）
撮像に係る撮像方向の少なくとも上下方向の調整である撮像方向調整と前記撮像とが可能な撮像装置に対して、顔認証処理又は虹彩認証処理の対象者である被認証者の顔を含む画像が前記撮像により前記撮像装置から伝達される撮像画像に含まれるように前記撮像方向調整を行わせる撮像方向指示部と、
前記撮像装置に前記撮像を指示する撮像指示部と、
前記撮像装置から伝達された前記撮像画像により行った前記被認証者についての前記顔認証処理又は虹彩認証処理の結果を出力する出力部と、
を備える、生体認証装置。
（付記２）
前記撮像方向指示部は、前記撮像方向調整を、前記被認証者の少なくとも顔の画像が前記撮像画像に含まれるように行わせる、付記１に記載された生体認証装置。
（付記３）
前記撮像方向指示部は、前記撮像方向調整を、前記被認証者の肩から頭頂部にかけての画像が前記撮像画像に含まれるように行わせる、付記１又は付記２に記載された生体認証装置。
（付記４）
前記撮像方向指示部は、前記撮像方向調整を、前記撮像画像から前記被認証者の輪郭線を抽出することにより行わせる、付記１ないし付記３のうちのいずれか一に記載された生体認証装置。
（付記５）
前記撮像方向指示部は、前記撮像方向調整を、前記輪郭線から前記顔の中心を導出することにより行わせる、付記４に記載された生体認証装置。
（付記６）
前記撮像の際に前記撮像方向を含む方向の照明光を照射する照明装置に対して、前記撮像装置に前記撮像を行わせる際の光量の調整を行わせる光量指示部をさらに備える、付記１ないし付記４のうちのいずれか一に記載された生体認証装置。
（付記７）
前記光量指示部は、前記撮像方向調整を行わせるために前記撮像させる際の前記光量を、前記顔認証処理を行うための前記撮像画像を前記撮像させる際の前記光量より低くする、付記６に記載された生体認証装置。
（付記８）
前記照明装置は、前記照射の主たる方向である照明方向の少なくとも上下方向の調整である照明方向調整を行うことが可能であり、
前記撮像装置に前記撮像を行わせる際の前記照明方向を指示する照明方向指示部をさらに備える、
付記６又は付記７に記載された生体認証装置。
（付記９）
前記照明方向指示部は、前記照明装置に対して、前記照明方向が、前記被認証者の目の近傍以外の部分を向くように、前記照明方向調整を行わせる、付記８に記載された生体認証装置。
（付記１０）
前記目の近傍以外の部分が、前記被認証者の唇及び額のうちの少なくともいずれかを含む、付記９に記載された生体認証装置。
（付記１１）
前記照明方向指示部は、前記照明装置である第一照明装置に対して、前記照明方向が、前記被認証者の唇を含む前記目の近傍以外の部分になるように前記照明方向調整を行わせ、
前記照明方向指示部は、前記第一照明装置ではない前記照明装置である第二照明装置に対して、前記照明方向が、前記被認証者の額を含む前記目の近傍以外の部分になるように前記照明方向調整を行わせる、付記９又は付記１０に記載された生体認証装置。
（付記１２）
前記照明装置をさらに備える、付記６ないし付記１１のうちのいずれか一に記載された生体認証装置。
（付記１３）
前記撮像装置をさらに備える、付記１ないし付記１２のうちのいずれか一に記載された生体認証装置。
（付記１４）
前記被認証者に対し情報を出力する情報出力部に対し、前記被認証者の左右方向の位置を正させるための情報を出力させる情報出力指示部をさらに備える、付記１ないし付記１３のうちのいずれか一に記載された生体認証装置。
（付記１５）
撮像に係る撮像方向の少なくとも上下方向の調整である撮像方向調整と前記撮像とが可能な撮像装置に対して、顔認証処理又は虹彩認証処理の対象者である被認証者の顔を含む画像が前記撮像により前記撮像装置から伝達される撮像画像に含まれるように前記撮像方向調整を行わせる、撮像方向指示を行い、
前記撮像装置への前記撮像に係る撮像指示を行い、
前記撮像装置から伝達された前記撮像画像により行った前記被認証者についての前記顔認証処理又は前記虹彩認証処理の結果を出力する、
生体認証方法。
（付記１６）
撮像に係る撮像方向の少なくとも上下方向の調整である撮像方向調整と前記撮像とが可能な撮像装置に対して、顔認証処理又は虹彩認証処理の対象者である被認証者の顔を含む画像が前記撮像により前記撮像装置から伝達される撮像画像に含まれるように前記撮像方向調整を行わせる撮像方向調整指示を行う処理と、
前記撮像装置への前記撮像の指示を行う処理と、
前記撮像装置から伝達された前記撮像画像により行った前記被認証者についての前記顔認証処理又は前記虹彩認証処理の結果の出力を行う処理と、
をコンピュータに実行させる生体認証プログラム。
【０１１７】
ここで、上記付記における、前記撮像方向調整と前記撮像とが可能な前記撮像装置は、例えば、図１又は図３の撮像部３である。また、前記撮像方向指示部は、例えば、図１の処理部１２の、図４のＳ１１１又は図５のＳ１２４の処理を行う部分である。また、前記撮像指示部と、例えば、図１の処理部１２の、図４のＳ１０８の処理、図５のＳ１２９又は図６のＳ１４６の処理を行う部分である。
【０１１８】
また、前記出力部は、例えば、図１の処理部１２の、図７のＳ１５５の処理又はＳ１５８の処理を行う部分である。また、「前記撮像方向調整を、前記被認証者の少なくとも顔の画像が前記撮像画像に含まれるように行わせる、」は、例えば、図４のＳ１０８ないし図５のＳ１３０の処理を行うことである。
【０１１９】
また、「前記撮像方向調整を、前記被認証者の肩から頭頂部にかけての画像が前記撮像画像に含まれるように行わせる、」は、例えば、図４のＳ１０８ないし図５のＳ１３０の処理を行うことである。また、「前記撮像方向調整を、前記撮像画像から前記被認証者の輪郭線を抽出することにより行わせる、」は、例えば、図４のＳ１０８ないし図５のＳ１３０の処理を行うことである。
【０１２０】
また、「前記撮像方向調整を、前記輪郭線から前記顔の中心を導出することにより行わせる、」は、例えば、図４のＳ１０８ないし図５のＳ１３０の処理を行うことである。また、前記撮像の際に前記撮像方向を含む方向の照明光を照射する照明装置は、例えば、図１又は図３の発光部１１又は図１の発光部７１である。また、光量指示部は、例えば、図１の処理部１２の、図４のＳ１０５の処理又は図６のＳ１４２の処理を行う部分である。
【０１２１】
また、「前記撮像方向調整を行わせるために前記撮像させる際の前記光量を、前記顔認証処理を行うための前記撮像画像を前記撮像させる際の前記光量より低くする、」は、例えば、図４のＳ１０５の処理の前記第一設定値が、図６のＳ１４２の処理の前記第二設定値より低く設定されていることである。また、「前記照射の主たる方向である照明方向の少なくとも上下方向の調整である照明方向調整」は、例えば、図４のＳ１１１の処理である。
【０１２２】
また、「前記撮像装置に前記撮像を行わせる際の前記照明方向を指示する照明方向指示部」は、例えば、図１の処理部１２の、図４のＳ１１１の処理又は図５のＳ１２４の処理を行う部分である。また、「前記照明装置に対して、前記照明方向が、前記被認証者の目の近傍以外の部分を向くように、前記照明方向調整を行わせる、」は、例えば、図６のＳ１４４の処理である。
【０１２３】
また、「前記被認証者の唇及び額のうちの少なくともいずれかを含む、」は、例えば、図６のＳ１４４の処理である。また、前記第一照明装置は、例えば、図１の発光部１１である。また、前記第二照明装置は、例えば、図１の発光部７１である。また、前記情報出力指示部は、例えば、図１の処理部１２の、図５のＳ１２８の処理を行う部分である。また、前記コンピュータは、例えば、図１の処理部１２及び記憶部１３を備えるコンピュータである。
【０１２４】
また、前記生体認証プログラムは、例えば、前記コンピュータに処理を実行させるプログラムであり、例えば、記憶部１３に格納されている。
【符号の説明】
【０１２５】
１、７    光拡散部材
２    人検出部
３    撮像部
４    音声出力部
５    筐体
６    認証媒体読取部
８    壁
１１、７１    発光部
１２    処理部
１２ａｘ    撮像方向指示部
１２ｂｘ    撮像指示部
１２ｃｘ    出力部
１３    記憶部
３１    撮像実行部
３２    撮像方向調整部
３３    撮像処理部
３４    保護ガラス
９９ａ  矢印
１００、１２ｘ  生体認証装置
１１１    発光素子部
１１２    発光方向調整部
【図１】
2022002148.tif 000003
【図２】
2022002148.tif 000004
【図３】
2022002148.tif 000005
【図４】
2022002148.tif 000006
【図５】
2022002148.tif 000007
【図６】
2022002148.tif 000008
【図７】
2022002148.tif 000009
【図８】
2022002148.tif 000010